(57)【特許請求の範囲】
【請求項１】
複数の砕流孔を有する砕流板の下流側に該砕流孔と合致する位置に通水孔を有する多孔板と金網を交互に配設してなる機能シャワー生成部と、内部に流水路を有し出口開口部に十分な広さの水室を有するシャワーヘッド本体と、該出口開口部に覆設され表側面には散水孔が穿設され内面側には前記機能シャワー生成部が一体的に設けられるシャワー散水板とからなり、前記砕流板の上流側からビスを貫通させてシャワー散水板に内面側より締め付け固定することにより前記機能シャワー生成部をシャワー散水板の内面側に一体的に設け、該シャワー散水板をシャワーヘッド本体に組付けたとき前記機能シャワー生成部は前記出口開口部の水室内に収納されることを特徴とするシャワーヘッド。
【発明の詳細な説明】
【０００１】
【産業上の利用分野】
本発明は、台所，洗面所または浴室等で使用される散水用シャワーヘッドに関する。
【０００２】
【従来の技術】
一般に吐水口からの水の吐出形態には、通常シャワー散水，泡沫シャワー散水，マッサージシャワー散水，集中吐水、等の種々の形態がある。そしてシャワーヘッドには上記吐水形態のうち１つの形態のみで散水できる単機能シャワーヘッドから、３種類以上の形態に切り換えて吐水できる多機能シャワーヘッドがある。ところで、単機能シャワーヘッドに比べ多機能シャワーヘッドは内部構造が複雑で部品点数も多く大型化する傾向がある（特開昭６３−２７０５６３号公報参照）。
【０００３】
【発明が解決しようとする課題】
ところがこのようにシャワーヘッドが大型化すると、台所，洗面所等で使用する場合に邪魔になり、作業性が悪くなるという問題がある。しかし小型のシャワーヘッドは、単機能かせいぜい２つの機能を有するだけであったので、さらに他の機能を使用したい場合にはシャワーヘッドを交換しなければならずコストが高くつくという問題があった。
【０００４】
【課題を解決するための手段】
本発明のシャワーヘッドは上記課題を解決しようとするもので、複数の砕流孔を有する砕流板の下流側に該砕流孔と合致する位置に通水孔を有する多孔板と金網を交互に配設してなる機能シャワー生成部と、内部に流水路を有し出口開口部に十分な広さの水室を有するシャワーヘッド本体と、該出口開口部に覆設され表側面には散水孔が穿設され内面側には前記機能シャワー生成部が一体的に設けられるシャワー散水板とからなり、前記砕流板の上流側からビスを貫通させてシャワー散水板に内面側より締め付け固定することにより前記機能シャワー生成部をシャワー散水板の内面側に一体的に設け、該シャワー散水板をシャワーヘッド本体に組付けたとき前記機能シャワー生成部は前記出口開口部の水室内に収納されることを特徴とする。
【０００６】
【作用】
シャワー散水板に機能シャワー生成部を一体的に設けたことにより、該シャワー散水板を交換するだけでシャワー機能の変更が容易にでき、低コストで機能変更ができると共に、シャワーヘッドの大型化が避けられる。
【０００７】
【実施例】
次に図面と共に本発明の一実施例をフレキシブルなホースの先端に設けられるシャワーヘッドについて説明する。シャワーヘッド本体１は図１〜図４に示したようにホース２の先端に取付けられ、内部に円形の流水路を有する中空筒状のもので、該シャワーヘッド本体１内にその流水路を上流側と下流側に仕切する円板状の仕切板３が設けられる。
【０００８】
４は該仕切板３の上流側に回転動可能に軸支された略Ｔ字状の切換レバー、５はその回転中心となる支軸で、該支軸５はシャワーヘッド本体１の内面中心に形成された軸孔２２および仕切板３の上流側面中心に突設されたボス２３の軸孔２４中に回転自在に挿通されている。また、仕切板３上の偏心位置に支軸７を支持する軸孔１５が形成され、該軸孔１５とシャワーヘッド本体１内面との間に架設した支軸７に押ボタン６を挿通し該押ボタン６をシャワーヘッド本体１外周面に形成された凹所２６中に揺動可能に支持させている。そして該押ボタン６の表面をシャワーヘッド本体１の表面に露呈させている。１６は軸孔１５の水密封止用Ｏリングである。また８，９は一端が該押ボタン６の内面に当接し他端が切換レバー４に当接するようにシャワーヘッド本体１に進退自在に支持された一対のピン、１０は該ピン８，９の外周に嵌着された水封用Ｖパッキンである。
【０００９】
切換レバー４の３つの外端部には夫々スプリング１１および球面状弁体１２を収容し得る円筒部３８が一体に形成され、該スプリング１１により球面状弁体１２を下向に弾性的に付勢している。
【００１０】
仕切板３は下流側面中央部に集中吐水筒１３が一体に形成されている。そして該仕切板３の外周にはＯリング１４が嵌着され、集中吐水筒１３の下端部外周にはＯリング３７が嵌着され、該Ｏリング１４はシャワーヘッド本体１内面との水密を保つ。また、仕切板３の上流側面外周縁には周壁１７が一体に形成されている。
【００１１】
１８は仕切板３の上流側面に密着状に配設されるゴム質の弾性板で、該弾性板１８の外周面には突条１９が一体に形成され、該突条１９が前記周壁１７の内面に密着し水密を保ち得るようにしている。なお、２５は弾性板１８の中心に前記ボス２３を貫挿するために開設された嵌孔で、該嵌孔２５の内周面に突条３９が一体に形成され該突条３９がボス２３の外周面に水密に密着し得るようにしている。
【００１２】
押ボタン６を操作しピン８，９を交互に進退動させることにより切換レバー４が揺動し３個の球面状弁体１２が弾性板１８の上面にスプリング１１の弾力により弾性的に接して移動するが、弾性板１８の各球面状弁体１２の移動軌跡上に夫々散水用弁口２０および集中吐水用弁口２１を形成している。また、弾性板１８の下面には図５に示したように各散水用弁口２０と直に連なる円筒部２７が夫々垂下状に形成されている。
【００１３】
そして仕切板３の上流側面に弾性板１８の密着時に円筒部２７が締まり嵌め状に嵌合する貫通孔２８が形成され各散水用弁口２０は該貫通孔２８によりその直下部に形成された充分な広さの水室３６に連通している。（図６参照）。また、２９は仕切板３の上流側面に前記集中吐水筒１３中から集中吐水用弁口２１に向けて放射状に延びるよう形成されてた導水溝で、該導水溝２９にはその底部より起立し先端が弾性板１８に当接するリブ３０が該導水溝２９の長手方向に沿って一体に形成されている。
【００１４】
３１は中央部に集中吐水口３２が形成されその外周に形成された環状散水部６０の一円周上に定間隔に散水孔３３を形成してなるシャワー散水板で、該シャワー散水板３１はシャワーヘッド本体１の開口端外周に形成された螺子部３４に螺合することにより該シャワーヘッド本体１の出口開口部に覆設され、そのとき集中吐水筒１３に該集中吐水口３２が合致しＯリング３７が水密を保つと共に、その合致部に金網製の円形のストレーナ３５が挟着保持される。
【００１５】
しかしてシャワー散水板３１の内面側には図６〜図９に示したように機能シャワー生成部４０が一体的に設けられている。即ち機能シャワー生成部４０は、この実施例では砕流板４１と多孔板４２と金網４３とからなる泡沫シャワー生成部で、砕流板４１は外周にＯリング４４が巻回されたリング状の形態で該砕流板４１に貫通状に開設された小孔を３つ１組として正三角形の各角部に配設してなる砕流孔４５を一円周上に等間隔に形成している。なお４６はビス孔である。該砕流板４１の下流側に重合される多孔板４２は砕流板４１と同じリング状を呈し該多孔板４２の砕流孔４５との合致位置に円形の通水孔４７を開設すると共にビス孔４８および位置決孔５５を開設している。また金網４３も砕流板４１と同じリング状を呈し、ビス孔４９および位置決孔５６が開設されている。なお、金網４３は３枚あって該各金網間および砕流板４１との間に夫々多孔板４２を介在させている。そして該通水孔４７はシャワー散水板３１の散水孔３３に合致位置する。
【００１６】
そして各多孔板４２の内周縁における各通水孔４７の間隔部位に夫々Ｕ字状の切欠５０を形成すると共に、各金網４３の内周縁にも該切欠５０と合致するＵ字状の切欠５１を形成している。そして該切欠５１をシャワー散水板３１の集中吐水口３２の外側で各散水孔３３の間隔部位に開設された扇形状の吸気孔５２に合致させている。なお５３は各吸気孔５２の間隔でシャワー散水板３１内に立設された位置決片である。また５４はシャワー散水板３１の内面に突設された位置決用の突起、５７は螺子孔で、該突起５４を前記位置決孔５５，位置決孔５６に貫通させると共に、位置決片５３の外周に多孔板４２，金網４３を嵌合させその上に砕流板４１を重ねてビス５８をビス孔４６，４８，４９に貫挿しシャワー散水板３１に形成された螺子孔５７に該ビス５８を螺合締付することにより該機能シャワー生成部４０を該シャワー散水板３１に一体的に組付けている。このため該シャワー散水板３１をシャワーヘッド本体１の螺子部３４に螺合することにより該機能シャワー生成部４０はシャワーヘッド本体１の水室３６中に収容される。なお５９は水室３６内で砕流板４１上に配置されたリング状のストレーナである。
【００１７】
しかしてこのシャワーヘッドでは、球面状弁体１２が図１に示したように集中吐水用弁口２１を閉塞させているときはホース２を通してシャワーヘッド本体１内に流入した水は弁口２０，貫通孔２８を通り水室３６に流入する。そしてその水は砕流板４１の砕流孔４５より高圧力で噴出し通水孔４７に位置する金網４３を通過する間に吸気孔５２，切欠５０，切欠５１を通して吸引された空気と混合し散水孔３３より泡沫状のシャワーとして散水される。また、押ボタン６を操作し切換レバー４を回転させ球面状弁体１２により弁口２０を閉塞させたときは集中吐水用弁口２１は開かれるので、シャワーヘッド本体１内に流入した水は集中吐水用弁口２１から導水溝２９を通り集中吐水筒１３中の水室３６′に流れストレーナ３５を通過して集中吐水口３２より吐出させることができる。従ってこのシャワーヘッドでは切換操作により吐水状態を集中吐水と泡沫シャワー散水に切換えられる。
【００１８】
一方、図１０に示したシャワーヘッドは、吐水状態を集中吐水と通常シャワー散水とに切換えられるシャワー散水板６１をシャワーヘッド本体１に取付けた状態を示す。即ちこのシャワー散水板６１は集中吐水口３２の外周縁部に多数の小さな散水小孔６２を形成してなるもので、貫通孔２８より水室３６に流入した水は該散水小孔６２から通常の形態でシャワー散水されるようになつている。このようにシャワー散水板を取り換えることにより、この場合所望の２つの吐水機能を有するものが使用し得るようになる。なおシャワー散水板には以上の実施例に示した泡沫シャワー散水，集中吐水，通常シャワー散水のほか、水流によつて回転する羽根車を散水板内に設け該羽根車により吐水孔を開閉することにより吐水を断続させるようにしたいわゆるマッサージシャワー散水機能を有するもの、或いは、霧状の散水状態が得られるようにしたミスト散水機能を有するもの等に交換することもできる。
【００１９】
【発明の効果】
このように本発明のシャワーヘッドは、本体はそのままでシャワー散水板を交換するだけで機能シャワー生成部が本体の水室内に収容され、シャワー機能の変更が簡単にできると共に、仕様変更のコストが軽減できるなど有益な効果がある。
【図面の簡単な説明】
【図１】本発明に係るシャワーヘッドの一実施例を示す縦断面図。
【図２】図１のＡ−Ａ線断面図。
【図３】図１のＢ−Ｂ線断面図。
【図４】シャワーヘッドの切換操作部の分解斜視図。
【図５】弾性板の裏面斜視図。
【図６】図１のシャワー散水板を取り外したときの縦断面図。
【図７】機能シャワー生成部の分解斜視図。
【図８】砕流板の下面斜視図。
【図９】シャワー散水板の平面図。
【図１０】シャワー散水板を交換したときの縦断面図。
【符号の説明】
１              シャワーヘッド本体
３              仕切板
４              切換レバー
５              支軸
６              押ボタン
１１            スプリング
１２            球面状弁体
１３            集中吐水筒
１７            周壁
１８            弾性板
１９            突条
２０            散水用弁口
２１            集中吐水用弁口
２７            円筒部
２８            貫通孔
２９            導水溝
３０            リブ
３１            シャワー散水板
３２            集中吐水口
３３            散水孔
３６，３６′    水室
４０            機能シャワー生成部
４１            砕流板
４２            多孔板
４３            金網
４５            砕流孔
４６            ビス孔
４７            通水孔
４８            ビス孔
４９            ビス孔
５０            切欠
５１            切欠
５２            吸気孔
５８            ビス
５９            ストレーナ
６０            環状散水部
【図１】
0003563118.tif 000002
【図２】
0003563118.tif 000003
【図３】
0003563118.tif 000004
【図４】
0003563118.tif 000005
【図５】
0003563118.tif 000006
【図６】
0003563118.tif 000007
【図７】
0003563118.tif 000008
【図８】
0003563118.tif 000009
【図９】
0003563118.tif 000010
【図１０】
0003563118.tif 000011